(57)【要約】【課題】この発明は利用者の身体を確実に支持する剛性と、利用者に柔らかさを与えるクッション性能とを兼ね備えるようにしたマットレス装置を提供することにある。【解決手段】スプリングユニット１と、このスプリングユニットの少なくとも一方の面に設けられる支持体１０と、スプリングユニットと支持体とを被覆した外装体１７とを具備し、  支持体は粒体１２が収容されるとともにスプリングユニットの一方の面に並設された複数の袋体１３である。【選択図】      図２
2005304701.tif 000002
【特許請求の範囲】
【請求項１】
クッション体と、
このクッション体の少なくとも一方の面に設けられる支持体と、
上記クッション体と支持体とを被覆した外装体とを具備し、
上記クッション体はスプリングユニットであって、
上記支持は粒体が収容されるとともに上記クッション体の一方の面に並設された複数の袋体であることを特徴とするマットレス装置。
【請求項２】
複数の袋体は、上記クッション体の長手方向に対して並設されていることを特徴とする請求項１記載のマットレス装置。
【請求項３】
上記外装体の上記袋体に対応する部分には、袋体を出し入れ可能とする開閉部が形成されていることを特徴とする請求項１記載のマットレス装置。
【請求項４】
上記クッション体の一方の面には、弾性材料によって形成された枠体が上記一方の面の周辺部に沿って設けられ、この枠体内に上記支持体が設けられることを特徴とするマットレス装置。
【発明の詳細な説明】
【技術分野】
【０００１】
この発明はスプリングユニットが用いられるマットレス装置に関する。
【背景技術】
【０００２】
マットレス装置には種々のタイプがあり、たとえばコイルスプリングを行列状に連結してスプリングユニットを構成し、このスプリングユニットにシート状の弾性材を重合し、この重合体を外装体によって被覆した構成や袋状の外装体内に樹脂製の小さな粒体を収容した構成などが知られている。
【発明の開示】
【発明が解決しようとする課題】
【０００３】
スプリングユニットを用いて構成されたマットレス装置は、クッション性能が良好であるという利点を有する反面、利用者が上面に仰臥した場合、身体の重い臀部などの部分が深く沈むため、背筋が曲がり、良好な寝姿勢を維持することができなくなるということがある。
【０００４】
それに対して袋状の外装体内に粒体を収容して構成されたマットレス装置は、スプリングユニットによって構成されたマットレス装置のように荷重に対して弾性変形し難いため、仰臥した利用者の臀部などの重たい部分がほとんど沈むことがない。そのため、利用者は背筋が伸びた寝姿勢を維持することができるという利点を有する反面、クッション性がほとんどなく硬いため、寝心地が悪いということがある。
【０００５】
この発明は、スプリングユニットのクッション性能と、粒体がもつ硬さとを併せ持つ構造とすることで、性能を向上させるようにしたマットレス装置を提供することにある。
【課題を解決するための手段】
【０００６】
この発明は、クッション体と、
このクッション体の少なくとも一方の面に設けられる支持体と、
上記クッション体と支持体とを被覆した外装体とを具備し、
上記クッション体はスプリングユニットであって、
上記支持は粒体が収容されるとともに上記クッション体の一方の面に並設された複数の袋体であることを特徴とするマットレス装置にある。
【０００７】
複数の袋体は上記クッション体の長手方向に対して並設されていることが好ましい。
【０００８】
上記外装体の上記袋体に対応する部分には、袋体を出し入れ可能とする開閉部が形成されていることが好ましい。
【０００９】
上記クッション体の一方の面には、弾性材料によって形成された枠体が上記一方の面の周辺部に沿って設けられ、この枠体内に上記支持体が設けられることが好ましい。
【発明の効果】
【００１０】
この発明によれば、スプリングユニットの一方の面に粒体が収容された複数の袋体を並設したため、利用者は流体の持つ硬さによって身体の重い部分が沈むことのない寝姿勢を維持できるとともに、スプリングユニットによって良好なクッション性能を得ることができる。
【発明を実施するための最良の形態】
【００１１】
以下、この発明の一実施の形態を図面を参照して説明する。  
図１はマットレス装置の斜視図で、図２と図３は長手方向と幅方向に沿って断面した断面図である。
【００１２】
図２に示すようにマットレス装置はクッション体としてのスプリングユニット１を備えている。このスプリングユニット１は多数のコイルスプリング２を行列状に配置し、隣り合うコイルスプリング２の上端及び下端をそれぞれヘリカル線３によって連結するとともに、上下面の周縁部に枠線４を連結して構成されている。
【００１３】
上記スプリングユニット１の上面と下面とにはそれぞれシート状の保護材５が設けられている。スプリングユニット１の下面に設けられた保護材５の周辺部には、後述するがイソ体１７の下鏡地１８に一端が縫着されたフランジ布６が設けられている。このフランジ布６の他端はスプリングユニット１の周辺部に位置するコイルスプリング２にクリップ７によって連結されている。
【００１４】
スプリングユニット１の上面に設けられた保護材５の上面には中布８が積層されている。この中布８の周辺部はスプリングユニット１の周辺部に位置するコイルスプリング２にクリップ７によって連結されている。したがって、スプリングユニット１の上下面に設けられた保護材５は、ずれ動くことがないよう、スプリングユニット１と一体的となっている。
【００１５】
上記スプリングユニット１に設けられた中布８の上面の周辺部にはウレタンフォームなどの弾性材料によって形成された枠体１１が下面を上記中布８に接着固定して設けられている。この枠体１１の内には支持体１０が設けられている。この支持体１０は、粒体１２を収容した円筒状の複数の袋体１３からなる。複数の袋体１３は、軸線をスプリングユニット１の幅方向に沿わせてこのスプリングユニット１の長手方向に並設されている。
【００１６】
上記粒体１２は、たとえばボリスチレンなどの合成樹脂などによって直径が１ｍｍ程度の球形状に形成されていて、上記袋体１３はナイロンやポリウレタンなどの繊維によって通気性と伸縮性とのうち、少なくとも通気性を備えた布地によって形成されている。なお、流体１２は１ｍｍ以上或いは１ｍｍ以下の粉体状であっても差し支えない。
【００１７】
上記中布８の枠体１２内に位置する部分の上面の幅方向両端部には、長手方向全長にわたって第１のベルベットファスナ１５が貼着或いは縫合などの手段によって設けられている。
【００１８】
上記袋体１３の軸方向両端部には第２のベルベットファスナ１６が設けられている。そして、上記枠体１１内に収容された袋体１３は第２のベルベットファスナ１６を第１のベルベットファスナ１５に着脱可能に係着させている。それによって、袋体１３は枠体１１内でずれ動くことなく保持されている。
【００１９】
図２では、枠体１１内に袋体１３を、スプリングユニット１の長手方向に対して所定の間隔で並設しているが、間隔を設けることなく、隣り合う袋体１１を接触させて並設してもよい。袋体１３を所定間隔で設けても、荷重が加わることで袋体１３は変形し、隣り合う袋体１３間の隙間はなくなるようになっている。
【００２０】
上記スプリングユニット１と袋体１３とは袋状に縫製された上記外装体１７によって被覆されている。この外装体１７はスプリングユニット１の下面を覆う上記下鏡地１８と、袋体１３が収容された枠体１１の上面を覆う上鏡地１９と、スプリングユニット１の外周面を覆うまち地２１とを備えている。このまち地２１の下端と上記下鏡地１８の周縁部及びまち地２１の上端と上鏡地１９の周縁部とがそれぞれテープエッジ２２によって縫合されている。
【００２１】
上記まち地２１の上記枠体１１の外周面の三辺に対応する部分にはファスナ２３が設けられている。このファスナ２３によって上記外装体１７には、まち地２１の一部とともに上鏡地１９を開閉可能とする開閉部２４が形成されている。この開閉部２４を開放すれば、枠体１１を露出させることができるから、この枠体１１内に設けられた袋体１３を着脱することができる。
【００２２】
このような構成によれば、図示しない利用者がマットレス装置の上面に仰臥すると、利用者の身体はスプリングユニット１の上面に設けられた支持体１０の袋体１３によって支持される。袋体１３内に収容された粒体１２は、利用者の荷重によって袋体１３を変形させながらその内部で流動するものの、荷重に対して弾性変形することのない硬さを有する。そのため、粒体１２の硬さによって利用者の身体は、重い臀部などが大きく沈み込むことなく支持される。
【００２３】
一方、マットレス装置の上面に利用者が仰臥すると、その荷重によってスプリングユニット１が弾性的に圧縮変形する。そのため、マットレス装置は、スプリングユニット１によって利用者を弾性的に支持するクッション性能を呈することになる。
【００２４】
このように、この発明のマットレス装置は、スプリングユニット１によるクッション性能と、袋体１３に収容された粒体１２による硬さとによって利用者の身体の重たい部分を落ち込むことなく支持する剛性とを兼ね備えている。したがって、上面に仰臥した利用者は快適な状態で就寝することができる。
【００２５】
上記袋体１３は枠体１１内に収容されて設けられている。そのため、袋体１３に設けられた第２のベルベットファスナ１６が中布８に設けられた第１のベルベットファスナ１５から外れるようなことがあっても、袋体１３は枠体１１内からずれ落ちるようなことがないから、マットレス装置の性能が大きく低下するのを防止できる。
【００２６】
また、筒状の袋体１３をスプリングユニット１の幅方向に沿って設けるとともに、長手方向に沿って並設した。そのため、上面に仰臥した利用者の身体は袋体１３を横切る方向に位置するから、利用者の身体が隣り合う袋体１３の間の部分に落ち込むのが防止される。
【００２７】
袋体１３に粒体１２を収容した構造によれば、高い通気性を持たせることができるから、利用者の身体が蒸れるのを防止できる。それによって、老人や病人などが利用した場合に、床擦れが生じ難くなるということもある。
【００２８】
長期間の使用によって粒体１２が収容された袋体１３が損傷することがあり、そのような場合には袋体１３を点検し、その結果に応じて交換しなければならないこともある。そのような場合には、外装体１７のまち地２１に設けられたファスナ２３によって開閉部２４を開放すれば、袋体１３が収容された枠体１１を露出させることができる。それによって、枠体１１内に設けられた袋体１３に損傷があるか否かを点検することができる。
【００２９】
点検の結果、損傷した袋体１３がある場合、その袋体１３を取り出して新たなものに交換しなければならない。上記袋体１３は上記枠体１１内に第１、第２のベルベットファスナ１５，１６の係着によって着脱可能に収容されている。したがって、損傷した袋体１３を枠体１１内から取り外したり、新たな袋体１３を収容するなどの作業を容易かつ迅速に行なうことができる。
【００３０】
この発明は上記一実施の形態に限定されず、種々変形可能である。たとえば、枠体内に収容される袋体の形状は筒状に限定されず、扁平な板状であってもよく、さらに枠体内に収容される袋体の数は２つ以上であればよい。
【００３１】
また、スプリングユニットをコイルスプリングによって形成したが、スプリングユニットは他のスプリング、たとえば鼓型スプリングや１本の線材によって軸線が平行に離間する複数のコイル部を有する、いわゆる連続スプリングなどを用いて構成するようにしてもよい。
【００３２】
さらに、クッション体である、スプリングユニットの上面にだけ袋体を設けるようにしたが、両方の面に設けるようにしてもよく、その場合一方の面と他方の面に設けられる袋体に収容される流体の大きさを異なるものにすれば、どちらの面を利用するかによって利用者に与える感触を異ならせることができる。
【図面の簡単な説明】
【００３３】
【図１】この発明の一実施の形態を示すマットレス装置の開閉部を開放した状態の斜視図。
【図２】マットレス装置の長手方向に沿う縦断面図。
【図３】マットレス装置の幅方向に沿う縦断面図。
【符号の説明】
【００３４】
１…スプリングユニット、２…コイルスプリング、１１…枠体、１２…粒体、１３…袋体、１７…外装体、２４…開閉部。
【図１】
2005304701.tif 000003
【図２】
2005304701.tif 000004
【図３】
2005304701.tif 000005